(57)【要約】      （修正有）【課題】屋内配線に使用され、設備のコストを節約した開閉装置及びそのスイッチアセンブリーを提供する。【解決手段】１つの主動素子１０と１つのスイッチアセンブリー１２を含み、スイッチアセンブリーは更に１つの制御部１２０と１つの開閉素子１２２を有し、制御部は接続線１４で主動素子に連結され、主動素子の操作に従って、開閉素子の通電回路の導通や遮断を司どる。主動素子とスイッチアセンブリーの間は、非導電性の接続線で接続される。【選択図】図２Ａ
0003191121.tif 000002
【実用新案登録請求の範囲】
【請求項１】
電気器具の開閉装置であって、
１つの主動素子と１つのスイッチアセンブリーを含み、前記スイッチアセンブリーは更に１つの制御部と１つの開閉素子を有し、前記制御部は接続線で前記主動素子に連結され、前記主動素子の操作に従って、前記開閉素子の通電回路を導通・遮断する、開閉装置。
【請求項２】
前記制御部は前記接続線に連結され、前記主動素子の操作状態により、前記開閉素子の押しボタンと抵触又は離間し、前記押しボタンは前記通電回路の導通や遮断を制御する、請求項１に記載の開閉装置。
【請求項３】
前記スイッチアセンブリーはマイクロスイッチであり、前記開閉素子は１つの復帰素子を含み、前記通電回路を遮断状態に復帰させる、請求項２に記載の開閉装置。
【請求項４】
前記接続線は非導電性の接続線である、請求項３に記載の開閉装置。
【請求項５】
前記接続線はナイロン線、或いは織布線である、請求項１、または３に記載の開閉装置。
【請求項６】
前記主動素子は押しボタンスイッチである、請求項１、または３に記載の開閉装置。
【請求項７】
前記主動素子は更に１つの調整部を含み、前記調整部は前記接続線に枢接され、前記接続線の前記主動素子と前記制御部との間に接続される長さを調整する、請求項１、または３に記載の開閉装置。
【請求項８】
開閉装置のスイッチアセンブリーであって、
１つの制御部と１つの開閉素子を含み、前記制御部は接続線で主動素子と連結し、前記主動素子の操作に従って、前記開閉素子の通電回路の導通や遮断を制御するスイッチアセンブリー。
【請求項９】
前記制御部は前記接続線に連結され、前記主動素子の操作状態に従って、前記開閉素子の押しボタンと抵触又は離間し、前記押しボタンは、前記通電回路の導通や遮断を制御する、請求項８に記載のスイッチアセンブリー。
【請求項１０】
前記スイッチアセンブリーはマイクロスイッチであり、前記接続線は非導電性接続線であり、前記開閉素子は更に１つの復帰素子を含み、前記通電回路を遮断状態に復帰させる、請求項８または９に記載のスイッチアセンブリー。
【考案の詳細な説明】
【技術分野】
【０００１】
本考案は開閉装置とそのスイッチアセンブリーに関するもので、特に屋内配線の開閉装置とそのスイッチアセンブリーに関するものである。
【背景技術】
【０００２】
図１は従来の開閉装置を電気通電回路の中に設置した説明図である。実務上従来の開閉装置９は、例えば押しボタンスイッチ、またはタンブラースイッチであり、通電回路７は例えば、負荷７１と電源７３を含んだ回路であり、負荷７１は例えば蛍光灯であり、電源７３は例えば交流電源、或いは直流電源である。従って使用者は従来の開閉装置９を操作して負荷７１、例えば照明器具をＯＮ、ＯＦＦすることができる。
【０００３】
然るに近来例えば銅材や鉄材などの原料価格の騰貴により、従来の開閉装置９を該通電回路７や通電回路７の中の電力配線に配置することは、設備のコストを高くし、或いは電気エネルギーの消耗を招くことになる。
【考案の概要】
【考案が解決しようとする課題】
【０００４】
上記の状況に鑑み、このような問題を解決するため、本考案は新奇な開閉装置とそのスイッチアセンブリーを提供するものである。
【課題を解決するための手段】
【０００５】
本考案が提供する開閉装置は主動素子とスイッチアセンブリーを含み、スイッチアセンブリーは制御部と開閉素子とからなる。制御部は１つの接続線で主動素子に連結され、主動素子の操作に従って開閉素子の通電回路の導通や遮断を制御する。
【０００６】
本考案の１つの実施例では、前記制御部は接続線に連結され、主動素子の操作状態により、開閉素子の押しボタンと抵触したり、抵触しなかったりする。押しボタンは通電回路の導通や遮断を制御する。
【０００７】
本考案の１つの実施例では、前記スイッチアセンブリーはマイクロスイッチであり、開閉素子は１つの復帰素子を含み、通電回路を遮断状態に復帰させる。
【０００８】
本考案の１つの実施例では、前記接続線は非導電性接続線である。
【０００９】
本考案の１つの実施例では、前記接続線はナイロン線、或いは織布線である。
【００１０】
本考案の１つ実施例では、前記主動素子は押しボタンスイッチである。
【００１１】
本考案の１つの実施例では、前記主動素子は更に調整部を含み、調整部は接続線に枢接され、接続線の主動素子と制御部との間に接続される長さを調整する。
【００１２】
本考案が提供するスイッチアセンブリーは制御部と開閉素子を含む。制御部は接続線で主動素子と連結し、主動素子の操作に従って、開閉素子の通電回路の導通や遮断を制御する。
【００１３】
本考案の１つの実施例では、前記制御部は接続線に連結され、主動素子の操作状態により、開閉素子の押しボタンと抵触したり、抵触しなかったりする。押しボタンは通電回路の導通や遮断を制御する。
【００１４】
本考案の１つの実施例では、前記スイッチアセンブリーはマイクロスイッチであり、接続線は非導電性接続線であり、開閉素子は１つの復帰素子を含み、通電回路を遮断状態に復帰させる。
【考案の効果】
【００１５】
以上総合すると、本考案の提供する開閉装置は主動素子を利用して接続線によりスイッチアセンブリーと接続し、また、スイッチアセンブリーは制御部と開閉素子とを含み、制御部は主動素子の操作に従って、開閉素子の通電回路の導通や遮断を制御する。そして主動素子とスイッチアセンブリーの間は、非導電性の接続線で接続されているので、コスト節約の効果が達成される。
【図面の簡単な説明】
【００１６】
【図１】従来の開閉装置を通電回路中に設置した説明図である。
【図２Ａ】本考案による１つの実施例の開閉装置の運用を示す説明図である。
【図２Ｂ】図２Ａによる、本考案のもう１つの実施例の開閉装置運用を示す説明図である。
【図３】本考案による、もう１つの実施例の開閉装置の運用を示す説明図である。
【考案を実施するための形態】
【００１７】
（実施例）
図２Ａは本考案による１つの実施例の開閉装置の運用を示す説明図である。この図２Ａの開閉装置１は主動素子１０とスイッチアセンブリー１２を含んでいる。実務上主動素子１０は例えば押しボタンスイッチで壁上、または電気器具のケース上に設置され、照明器具や扇風器の開閉を司どる。本実施例に於ては主動素子１０の形態や設置位置を特別に制限しない。
【００１８】
スイッチアセンブリー１２の中には制御部１２０と開閉素子１２２が含まれている。実務上スイッチアセンブリー１２は例えばマイクロスイッチであり、制御部１２０は  開閉素子１２２と主動素子１０の間に設置されている。制御部１２０は接続線１４で主動素子１０に連結され、主動素子１０の操作に従って開閉素子１２２の中の通電回路５の導通や遮断を司どる。
【００１９】
詳しく言えば制御部１２０は、主動素子１０の作動により、開閉素子１２２を制御し、そして開閉素子１２２は制御部１２０の作動により、通電回路５の導通や遮断を司どる。つまり、スイッチアセンブリー１２は主動素子１０の作動により、通電回路５の導通や遮断を司どる。
【００２０】
制御部１２０は接続線１４に連結され、主動素子１０の操作状態により、開閉素子１２２の押しボタン１２２０と抵触したり、抵触しなかったりする。押しボタン１２２０は通電回路５の導通や遮断を制御する。実務上、制御部１２０は例えば１本の可動取手であり、接続線１４に連結されていて、使用者はこれで主動素子１０を触動して、制御部１２０を開閉素子１２２の押しボタン１２２０と抵触させたり、抵触させなかったりする。
【００２１】
開閉素子１２２は復帰素子１２２２を含み、これにより通電回路５を遮断状態に復帰させる。実務上、復帰素子１２２２は伸縮自在の弾力を有する例えばばねであり、制御部１２０が押しボタン１２２０を抵触した時、このばねは変形し、元の状態に復帰しようとする弾力を発揮する。この弾力が制御部１２０の押しボタン１２２０を抵触する作用力より小さければ、通電回路５が導通する。
制御部１２０が押しボタン１２２０を抵触していない場合、このばねが元の状態に復帰する弾力が釈放され、通電回路５は遮断状態となる。本実施例に於ては、復帰素子１２２２の作動状態を特に制限しない。
【００２２】
接続線１４は非導電性であり、例えばナイロン線、或いは織布線より構成される。本実施例に於ては、接続線１４の形態を特に制限しない。実務上、従来の開閉措置９は、導電性の接続線で負荷７１と電源７３を接続している。
本考案では非導電性の接続線で主動素子１０とスイッチアセンブリー１２とを連結している。このため、スイッチアセンブリー１２は、負荷５１或いは電源５３の近くに配置することができ、スイッチアセンブリー１２、負荷５１や電源５３の形成した通電回路５の配線の長さも短縮できる。
【００２３】
更に本考案では接続線１４にナイロン線または織布線を使用しているので室内で漏電や漏水事故が起った場合、本考案の接続線１４は通電回路５の電線や其の他の電線と短路や混線による発火を起こすこともなく、電気安全の確保に効果がある。
【００２４】
以上より分かるように、本考案は主動素子１０、スイッチアセンブリー１２、及び接続線１４の設置により、従来の開閉装置９の機能を達成でき、また、本考案では非導電性接続線で主動素子１０とスイッチアセンブリー１２を連結しているので、通電回路５の導電性接続線１４の長さを節約し、また、従来の開閉装置９の通電回路７の短絡の機会も減少する。
【００２５】
引続き開閉装置の運用状況を説明する。
【００２６】
図２Ｂは図２Ａによる、本考案のもう１つの実施例の開閉装置運用を示す説明図である。図２Ａと図２Ｂを参照する。説明の便宜上、本実施例の主動素子１０は壁上に取り付けた押しボタンスイッチ、負荷５１は屋内照明器具と仮定する。また、本実施例では主動素子１０の設置位置は、特に制限しないものとする。
【００２７】
図２Ａのように、使用者がまだ主動素子１０を触動しないとき、例えば壁上の押しボタンスイッチはＯＦＦ状態にある。制御部１２０は接続線１４で主動素子１０と連結され、制御部１２０はまだ開閉素子１２２の押しボタンスイッチ１２２０を触動していないので、通電回路５は断路状態にあり、また、スイッチアセンブリー１２、電源５３と負荷５１も遮断状態を形成しているので、屋内照明器具は消灯している。
【００２８】
図２Ｂのように、使用者が主動素子１０を触動した場合、壁上の押しボタンスイッチはＯＮとなり、制御部１２０は主動素子１０の作動状態の変化に従い、開閉素子１２２の押しボタン１２２０を抵触し、通電回路５は導電状態となる。このため、スイッチアセンブリー１２、電源５３、負荷５１は導通状態を形成し、屋内照明器具は点灯する。
【００２９】
同様の原理で使用者が再度主動素子１０を触動すると、壁上の押しボタンスイッチはＯＦＦ状態に戻り、制御部１２０は押しボタン１２２０を抵触せず、復帰素子１２２２の復帰ばねの弾力が解放されて、通電回路５が遮断される。本実施例では、開閉装置１の運用形態は特に制限しないものとする。
【００３０】
図３は本考案による、もう１つの実施例の開閉装置の運用を示す説明図である。図３を参照する。本実施例の開閉装置１ａと前述の実施例の開閉装置１とは相似している。例えば開閉装置１ａは同様に制御部１２０により、開閉素子１２２の押しボタン１２２０を抵触したり、抵触しなかったりして、開閉素子１２２が導通回路５の導通や遮断を司どる。
しかし、開閉装置１ａ、１の間にも相違点がある。それは開閉装置１ａの主動素子１０には更に、調整部１００が設けられていて、接続線１４に枢接し、主動素子１０と制御部１２０との間の接続線１４の長さを調整する点である。
【００３１】
詳細に説明すれば、調整部１００は例えば調整回転盤、または調整可能の巻線器、または弾性のある巻線器であり、本実施例では、特に調整器１００の形態を制限しない。接続線１４が長すぎ、接続線１４が主動素子１０の微細作動に追従できず、制御部１２０が開閉素子１２２の押しボタン１２２０の抵触や不抵触を的確に執行できなくなった場合、使用者は調整部１００を利用して接続線１４の長さを適当に調整し、制御部１２０の作動を的確に回復する。以上の両者の差異以外は、通常の知識を有する当業者が前述の実施例と上述の差異を比較すれば、た易く推知できるものであり、ここで煩述しない。
【００３２】
以上を綜合すれば、本考案の開示する開閉装置には、主動素子とスイッチアセンブリーが含まれていて、スイッチアセンブリーは更に制御部と開閉素子を含んでいる。制御部は主動素子の操作に従って、開閉素子の通電回路の導電や遮断を司どる。主動素子とスイッチアセンブリーとの間は非導電性の線で接続されていて、スイッチアセンブリーが負荷や電源に隣接して配置できるようにし、コスト節約の効果を達成するのである。
【符号の説明】
【００３３】
１，１ａ      開閉装置  
５，７        通電回路  
５１，７１    負荷      
５３，７３    電源
９            従来の開閉装置                    
１０，１０ａ  主動素子  
１００        調整部    
１２          スイッチアセンブリー            
１２０        制御部    
１２２        開閉素子
１２２０      押しボタン 
１２２２      復帰素子  
１４          接続線
【図１】
0003191121.tif 000003
【図２Ａ】
0003191121.tif 000004
【図２Ｂ】
0003191121.tif 000005
【図３】
0003191121.tif 000006